(57)【要約】【課題】水位電極の絶縁部外表面に活性炭の微粒子が付着しにくくし、常に正常な水位を検知できるようにした濾過器の水位電極を提供すること。【解決手段】ねじ込みにより活性炭濾過器Ｓの器壁に取り付けるようにした水位電極において、絶縁体１の少なくとも器内側に突出する器内側部分２２を丸棒状体とし、かつその外周面を撥水性のよい材料にて被覆して構成する。【選択図】  図１
2004170352.tif 000002
【特許請求の範囲】
【請求項１】
ねじ込みにより活性炭濾過器の器壁に取り付けるようにした水位電極において、絶縁体の少なくとも器内側に突出する器内側部分を丸棒状体とし、かつその外周面を撥水性のよい材料にて被覆して構成したことを特徴とする濾過器の水位電極。
【請求項２】
絶縁体を、樹脂材料にて一体に成形したことを特徴とする請求項１記載の濾過器の水位電極。
【発明の詳細な説明】
【０００１】
【発明の属する技術分野】
本発明は、濾過器の水位電極に関し、特に、水位電極の絶縁部外表面に活性炭の微粒子が付着しにくくし、常に正常な水位を検知できるようにした濾過器の水位電極に関するものである。
【０００２】
【従来の技術】
従来、浄水場等において、取水中より不純物を除去するために活性炭を用いた濾過器あるいは濾過槽（以下、「活性炭濾過器」という。）を採用している。
この活性炭は濾過率を向上させるために粒状のものが汎用されており、また、該活性炭濾過器を効率よく運用するため、定期的に、あるいは活性炭等が汚れて濾過能力が低下したとき等に、任意に洗浄している。
この洗浄操作は活性炭濾過器の使用において重要な工程となっており、適切な水洗浄及び空気洗浄を行うに当たって、活性炭濾過器内の水位を設定水位に制御することが必須で、そのために水位を検知するための活性炭濾過器内に、同じ型の水位電極を、少なくとも２以上設置され、このうちいずれかの水位電極のレベルより若干下に水位が達したとき、他の水位電極との間の抵抗値が増大する。そして、このように抵抗値が増大することを検知することにより、バルブ等の開閉指令を出すようにしている。
また、この活性炭濾過器に設置される水位電極として、各種の型式のものがあるけれども、洗浄時の活性炭濾過器内の激しい水と、活性炭粒子の攪乱に耐える耐摩耗性と強度を有し、かつ安価なるものとして、図３に示すようなプラグ式の水位電極（以下、「プラグ電極」という。）が汎用されている。
【０００３】
【発明が解決しようとする課題】
ところで、上記従来の活性炭濾過器に使用されるプラグ電極においては、活性炭濾過器の使用中にタイマーで洗浄工程に入り、活性炭濾過器内の水抜きを予め洗浄に適しするように定めた所定の水位になると、該プラグ電極にて検知し、水抜きを停止するようにしているが、プラグ電極の絶縁が低下し、隣接したプラグ電極間との抵抗値が上昇せず、活性炭濾過器内の水位がプラグ電極を設置した設定水位で止まらずに全部抜けてしまい、適正な洗浄が行えないことがしばしばあった、
この原因は、活性炭濾過器内では洗浄時に活性炭の微粒子が多数漂っており、この活性炭の微粒子が、活性炭濾過器壁に取り付けたプラグ電極の器内側の絶縁部外表面に付着し、これにより導電性を有する活性炭の微粒子自体が保水性も有するため、この付着活性炭により電極は水に濡れたのと同じような状態になり、同様に隣接するプラグ電極も同じ状況になっているため、活性炭濾過器内壁面に付着した水を介して導電性のある回路が隣接する電極との間に構成され、正常な水位検知動作が行えず、従って正常な洗浄が行えないという問題があった。
さらに、金属よりなる電極のねじ込み部分は、活性炭微粒子との間の極部電池が構成されるものとなって電極自体が極めて脆弱なものになり、活性炭粒子の攪乱力に耐えられなくなり、その寿命が極めて短いという問題もあった。
【０００４】
本発明は、上記従来の濾過器の水位電極の有する問題点に鑑み、水位電極の絶縁部外表面に活性炭の微粒子が付着しにくくし、常に正常な水位を検知できるようにした濾過器の水位電極を提供することを目的とする。
【０００５】
【課題を解決するための手段】
上記目的を達成するため、本発明の濾過器の水位電極は、ねじ込みにより活性炭濾過器の器壁に取り付けるようにした水位電極において、絶縁体の少なくとも器内側に突出する器内側部分を丸棒状体とし、かつその外周面を撥水性のよい材料にて被覆して構成したことを特徴とする。
【０００６】
この濾過器の水位電極は、絶縁体を丸棒状体とし、器内側突出部分の外周面を撥水性のよい材料にて被覆しているので、活性炭の微粒子が水中に漂っても、絶縁体外周面への付着及びその成長が未然に防止され、水位電極の絶縁特性が変化せず、常に正常な水位を検知することができる。
【０００７】
この場合、絶縁体を、樹脂材料にて一体に成形することができる。
【０００８】
これにより、電気的絶縁性と所定の強度とを有し、水位電極自体のねじ山部分の脆弱化を防ぎ、電極の脱落を防止することができる。
【０００９】
【発明の実施の形態】
以下、本発明の濾過器の水位電極の実施の形態を図面に基づいて説明する。
【００１０】
図１〜図２に、本発明の濾過器の水位電極を適用した実施例を示し、図１は、活性炭濾過器壁に取り付けた状態の断面図で、図２は水位電極の外観斜視図である。
【００１１】
本発明の濾過器の水位電極Ａは、図１に示すように、丸棒状体の絶縁体１内を嵌通するようにして電極２を配設して構成する。
この水位電極Ａは、活性炭濾過器Ｓの器壁、特に限定されるものではないが、例えば、活性炭濾過器Ｓ内に充填した粒状活性炭の洗浄水位となる位置の側壁に貫通するようにしてねじ式等により取り付けられるようにする。
この場合、活性炭濾過器Ｓの内外に嵌通して配設する丸棒状体の絶縁体１内を、電極２が嵌通するように構成し、この電極の両端が、活性炭濾過器Ｓの内側と外側にそれぞれ突出するように構成する。
【００１２】
この絶縁体１は、電気的絶縁性と所定の強度とを備えるとともに、耐摩耗性に優れた樹脂材料、特に限定されるものではないが、例えば、塩化ビニル樹脂（ＰＶＣ）を用い、丸棒状体に成形する。これにより、成形が簡易に行える。
そして、活性炭濾過器Ｓに取付状態において、器外側に突出する部分（器外側部分）１１は、器内側に突出する部分（器内側部分）１２より太径となるようにし、この器外側部分１１と器内側部分１２との境界位置には段差１１ａを有するようにし、この段差１１ａを利用して、この段差１１ａをねじ込みによる取付時に器壁へ強圧してその取り付けを容易にする。
また、器外側部分１１の一部には、レンチその他の工具にて器壁にねじ込んで取り付けられるよう工具引掛部１３を一体に形成し、さらに、器内側部分１２の外周面には、器外側部分１１との境界に近設する位置にねじ１４を形成し、器内側部分１２の外周面には被覆材１５にて被覆する。
この被覆材１５は、活性炭の微粒子が付着しにくい、例えば、フッ素系樹脂、シリコーン系樹脂等の撥水性のよい材料で構成するようにする。
そして、特に、丸棒状体の器内側部分１２は、従来のプラグ電極よりも長くなるようにしてその長さを定め、活性炭濾過器Ｓの器壁と電極２との間隔を増すようにし、これにより電気抵抗を増大するようにする。
これにより、丸棒状体とした水位電極Ａをレンチ等の工具を用いて簡単にねじ込み、器壁への取り付けを容易に、かつ強固に行えるようにする。
【００１３】
また、電極２は、絶縁体１を塩化ビニル樹脂（ＰＶＣ）等の樹脂材料を用いて成形する際、この樹脂材料内に埋設するようにして一体とするもので、これは特に限定されるものではないが、不謬性金属、例えば、ステンレス鋼を用いて製作する。
この電極２は、図１に示すように、外周面にねじを刻設してボルト状とした器外側部分２１と、これと同径とした丸棒状の器内側部分２２とを１本状に一体に形成することもできるが、図示の実施例におけるように、ボルト状とした器外側部分２１と丸棒状とした器内側部分２２とを個別に製作し、これを銀ペースト２３を介して電気的に導通するようにして同一軸線上となるように一体に形成することができる。
なお、この電極２の器外側部分２１及び器内側部分２２の先端部分は、いずれも絶縁体１の器外側部分１１と器内側部分１２の端部より外方に突出するようにしてその全長を定める。
また、この電極２の器内側部分２２に白金等の貴金属のメッキを施すことにより、活性炭微粒子との間の電池形成が起こっても電極自身の腐食を抑制することができる。
【００１４】
また、絶縁体１の器内側部分１２の端部においては、器内側部分１２と電極２の器内側部分２２との間にシール材１６を配設し、これにより絶縁体１と電極２との僅かな隙間からも水及び／又は粒状活性炭の微粒子が侵入するのを未然に防止するようにする。
【００１５】
電極２の、ねじを刻設してボルト状とした器外側部分２１には、電極端子３を嵌挿し、かつこの電極端子３を両側面から狭持固定するようにワッシャー４，４を介してナット５，５を螺合するようにし、これにより電極端子３を器外側部分２１の所定位置に固定するようにする。
【００１６】
次に、この濾過器の水位電極Ａの作用について説明する。
水位電極Ａを活性炭濾過器Ｓの器壁への取り付けには、レンチ等の工具を用い、器壁に予め形成した電極取付座６に穿設した水位電極取付ねじ穴６１に螺合して取り付ける。これにより、活性炭濾過器内に流入する水により粒状活性炭の微粒子が水中に漂い、該活性炭の微粒子が絶縁体１の器内側部分１２に接触しても、該器内側部分１２の外周面形状が、従来のプラグ電極のように凹凸のある活性炭微粉のたまり易い形状ではなく、単純な丸棒状体（円柱状体）となっているため、活性炭微粉末の電極への付着が困難となり、その付着量を減じるとともに、器内側部分１２の外周面が撥水性のよい材料で構成した被覆材１５にて完全に被覆されているので、活性炭微粒子を含んだ水をはじき、そのことによって活性炭微粒子の電極への付着をより確実に防止することができる。
【００１７】
このように、器内側部分１２の形状、被覆材１５との相乗効果にて活性炭微粒子などの付着、成長を防止することができ、これにより電極の活性炭付着による保水量を低下させることができるので、電気絶縁特性が低下するのを防止することができる。
また、活性炭濾過器を洗浄する場合、予め設定した水位となるようにまず水抜きを行うが、これは排水弁を解放することにより行える。そして、排水により水位が設定値になったとき、水位電極Ａによりその設定水位を検知して排水を停止し、洗浄することができる。
【００１８】
絶縁体１を、レンチ、スパナ等の工具の当たる部分をも含めて塩化ビニル樹脂（ＰＶＣ）等の樹脂材料を用いて形成しているので、水位電極自体のねじ山部分の脆弱化を防ぎ、電極の脱落を防止することができる。
【００１９】
以上、本発明の濾過器の水位電極について、その実施例に基づいて説明したが、本発明は上記実施例に記載した構成に限定されるものではなく、その趣旨を逸脱しない範囲において適宜その構成を変更することができるものである。
【００２０】
【発明の効果】
本発明の濾過器の水位電極によれば、絶縁体を丸棒状体とし、器内側突出部分の外周面を撥水性のよい材料にて被覆しているので、活性炭の微粒子が水中に漂っても、絶縁体外周面への付着が未然に防止され、水位電極の絶縁特性が変化せず、常に正常な水位を検知することができる。
また、洗浄時における水抜きも適正に行える。
【００２１】
また、絶縁体を、樹脂材料にて一体に成形することにより、電気的絶縁性と所定の強度とを有し、水位電極自体のねじ山部分の脆弱化を防ぎ、電極の脱落を防止することができる。
【図面の簡単な説明】
【図１】本発明の濾過器の水位電極の一実施例を示し、濾過器壁に取り付けた状態の断面図である。
【図２】本発明の濾過器の水位電極の外観斜視図である。
【図３】従来のプラグ電極を濾過器壁に取り付けた状態の断面図である。
【符号の説明】
Ａ        水位電極
Ｓ        活性炭濾過器
１        絶縁体
１１      器外側部分
１１ａ  段差
１２    器内側部分
１３    工具引掛部
１４    ねじ
１５    被覆材
１６    シール材
２        電極
２１    器外側部分
２２    器内側部分
２３    銀ペースト
３      電極端子
４      ワッシャー
５      ナット
６      電極取付座
６１    水位電極取付ねじ穴
【図１】
2004170352.tif 000003
【図２】
2004170352.tif 000004
【図３】
2004170352.tif 000005